(57)【要約】【課題】簡易式シングルプル型リール定位構造の提供。【解決手段】本考案の簡易式シングルプル型リール定位構造は、渦巻きばね、滑盤、及び、定位盤と、正面と反面のケーブルの収巻により、必要な長さになるまで単一方向に引くと、自動的多段式定位機能を達成する。特に、この多段式定位機能は、ケーブルを一巻きすると、一次定位が可能である。よって、多段式定位制御能力下で、引き伸ばされる長さは精確に制御できる以外に、ケーブルの復位は、再度軽くケーブルを引くだけで、定位が脱離状態になり、快速に復位する。本構造と機能は公知の長さ固定のケーブルが生じる過長、過短、或いは、ケーブルの絡みの問題を解決する。【選択図】    図２
0003135316.tif 000002
【実用新案登録請求の範囲】
【請求項１】
シングルプル型リール定位構造であって、全体構造は、上蓋、定位ボール、定位盤、渦巻きばね、滑盤、ケーブル、及び、下蓋からなり、その特徴は、
前記渦巻きばねは前記滑盤の正面の縁座内に置入され、その中心端と下蓋中心軸が嵌接し、外縁端はフックにより前記縁座の周壁に固定されて、前記渦巻きばね前記上蓋と前記滑盤両者に抵接し、
前記定位盤は、底縁部と若干のほぞにより、前記滑盤頂縁を蓋合し、前記滑盤の旋転に伴って旋転し、且つ、前記定位盤の縁面中央に、貫通孔を有して前記下蓋中心軸と穿合する以外に、周縁面にそれぞれ円形内凹槽、円形外凹槽、V字型凹槽、及び、直通型凹槽から構成されるトラック槽を有し、前記円形内凹槽と前記円形外凹槽の間に、前記V字型凹槽、及び、前記直通型凹槽を有し、前記V字型凹槽のラッパ口方向を起点として、前記定位ボールが前記トラック槽で制限を受け、
前記滑盤は中央孔により前記下蓋中央軸を穿合し、盤体は、正面縁座と反対縁座両面を有し、前記ケーブルは反面位置に引導され、前記ケーブルが異なる面方向の正面ケーブルと裏面ケーブルを形成し、
前記定位ボールは、前記定位盤が構成するトラック槽に対応すると共に、前記上蓋内面の制限槽に対応し、前記定位ボールを上下往復式で定位することを特徴とするシングルプル型リール定位構造。
【請求項２】
前記定位盤面に構成される前記トラック槽は、前記ケーブルが前記滑盤を一巻きすると、一次定位機能を生成することを特徴とする請求項１に記載のシングルプル型リール定位構造。
【請求項３】
前記ケーブルは同一線体であると共に、正面ケーブルと裏面ケーブルに分けられることを特徴とする請求項１に記載のシングルプル型リール定位構造。
【請求項４】
前記ケーブルの正面ケーブル端は導電端、或いは、伝送端になり、前記裏面ケーブルは、標的物と内部導接され、標的物内部に内蔵されることを特徴とする請求項１に記載のシングルプル型リール定位構造。
【考案の詳細な説明】
【技術分野】
【０００１】
本考案は簡易式シングルプル型リール定位構造に関するものであって、特に、公知のケーブルを有する物品（マウス等）のケーブルに関する問題を解決する簡易式シングルプル型リール定位構造に関する。
【背景技術】
【０００２】
現在、スチールボール定位構造のリール器がある。図６、及び、図７で示されるように、公知のリール（A１０）は、前蓋（A１）、渦巻きばね（A２）、滑座（A３）、伝送線（A４）、定位ボール（A５）、及び、後蓋（A６）からなる。公知のリール構造（A１０）の基礎理念は、滑座（A３）内の渦巻きばねにより伝送線（A４）の復位を実行するものである。また、定位構造は、スチールボール（A５）により定位する。しかし、スチールボール（A５）の定位功能に合わせるため、滑座（A３）は底部に多数のトラック（A３１）を設置して、スチールボール（A５）をこれらのトラック（A３１）内に提供し、回転と嵌結を実施する。
【０００３】
公知のリール構造のトラック（A３１）は滑座（A３）底部に配置され、加工組み立てや精密な金型が重視されるが、特に、加工組み立てにおいて、滑座（A３）が渦巻きばね（A２）を内嵌し、底部にスチールボール（A５）を配置する作業は困難で、不良率が高くなり、生産コストに影響する。更に、滑座（A３）の配置が不当であると損壊し、渦巻きばね（A２）と底部に設置されたトラック（A３１）も使用できなくなるという欠点がある。
【考案の開示】
【考案が解決しようとする課題】
【０００４】
上述の問題を改善するため、本考案は、簡易式シングルプル型リール定位構造を提供することを目的とする。
【課題を解決するための手段】
【０００５】
本考案の構造は、１、本案を標的物の内部に内蔵し、正面のケーブル端を電源端とし、裏面のケーブル端と標的物を導接して、標的物のケーブルが多段定位できる機能を形成する。よって、標的物は不使用時、無ケーブル状態であり、使用時は、必要に応じて一定の長さに引き出し、自動定位する。２、本案の定位構造により、滑盤とトラック槽は別の構造で、且つ、トラック槽構造は簡単な円形内凹槽、円形外凹槽、V字型凹槽、及び、直通形凹槽の四種の形態からなり、ケーブルが滑盤を一度巻けば、一次定位機構を形成することができ、多段式定位以外に、更に、精確なケーブルの引き伸ばしが可能である。３、本案の定位釈放機能により、ケーブルの復位が快速で、操作しやすい。４、本案の構造により、リール装置が更に小型化、及び、低コスト化し、手持する、或いは、小型のケーブルを必要とする標的物に適用できる。
【考案の効果】
【０００６】
本考案の簡易式シングルプル型リール定位構造は多段式定位機能を有し、引き伸ばされる長さが精確に制御できる以外に、ケーブルの復位は、再度軽くケーブルを引くだけで、定位が脱離状態になり、快速に復位する。            
【考案を実施するための最良の形態】
【０００７】
図１、及び、図２で示されるように、本案の全体構造は、上蓋（１）、定位ボール（２）、定位盤（３）、渦巻きばね（４）、滑盤（５）、ケーブル（６）、及び、下蓋（７）からなる。渦巻きばね（４）は滑盤（５）の正面の縁座（５１）内に置入され、その中心端（４１）と下蓋中心軸（７１）が嵌接し、渦巻きばね（４）の外縁端は、フック（４２）により滑盤の正面の縁座（５１）が開設するノッチ（５１１）から挿入されると共に、縁座（５１）の周壁に固定されて、渦巻きばね（４）の中心端（４１）、及び、外縁端フック（４２）がそれぞれ上蓋（１）と滑盤（５）両者に抵接する。よって、滑盤（５）が正方向、反対方向のどちらに回転しても、渦巻きばね（４）を回転させて、収縮、或いは、釈放の状態になる。
【０００８】
図３と図４を合わせて参照すると、定位盤（３）は、底縁部と若干のほぞ（３１）と、滑盤（５）頂縁に開設されたノッチ（５１１）が蓋接式構造を形成し、滑盤（５）の旋転に伴って旋転する。次に、定位盤（３）の縁面中央に、貫通孔（３２）を有して下蓋中心軸（７１）と穿合する以外に、周縁面にそれぞれ円形内凹槽（３３）、円形外凹槽（３４）、V字型凹槽（３５）、及び、直通型凹槽（３６）から構成されるトラック槽（３０）を有する。円形内凹槽（３３）と円形外凹槽（３４）の間に、V字型凹槽（３５）、及び、直通型凹槽（３６）を有し、V字型凹槽（３５）のラッパ口方向を起点として、定位ボール（２）が前述のトラック槽（３０）で制限を受けて、定位機能を形成する。
【０００９】
図２と図５を参照すると、滑盤（５）は正面縁座（５１）と反対縁座（５２）両面を有し、正面縁座（５１）は、片体（５１２）が開設する穿孔（５１３）により、ケーブル（６）を反面位置に引導し、ケーブル（６）が異なる面方向の正面ケーブル（６）と裏面ケーブル（６）を形成する。且つ、これらのケーブル（６）はそれぞれ、正面縁座（５１）と反対縁座（５２）の外縁に巻合される。
【００１０】
前述の正面ケーブル（６）と裏面ケーブル（６）は同一線体で、反対縁座外縁が設置する挟着片（５２１）、及び、導引片（５２２）により固定すると共に、穿出した裏面ケーブル（６）を固定、並びに正しく導引し、正面ケーブル（６）が引っ張り力のために裏面ケーブル（６）の範囲内に進入しないようにし、裏面ケーブル（６）は正面ケーブル（６）の範囲内に進入しないようにする。よって、正面ケーブル（６）に収まる時、裏面ケーブル（６）は回収状態となる。正面ケーブル（６）に復位する時、裏面ケーブル（６）は旋転状態になる。
【００１１】
このような構造を前提下に、ケーブル（６）の正面ケーブル端（６１）は外接の導電端（伝送端）になり、裏面ケーブル（６）が延伸する導電端（６２）は、標的物と内部導接され、標的物内部に内蔵されて、シングルプル型リールの功能を達成する。
【００１２】
この他、下蓋（７）は中心軸（７１）により滑盤（３）中央孔と定位盤貫通孔（３２）を穿枢した後、ほぞ（７２）で上蓋（１）に係接する。定位ボール（２）は上蓋（１）内面の制限槽（１１）に対応し、定位ボール（２）はこの制限槽（１１）だけで定位盤トラック槽（３０）中に対応し、制限槽（１１）は上下往復式でシフト運動して定位する。よって、正面ケーブル（６）が滑盤（５）を一巻きするとき、一次定位機能を生成し、リール装置全体が多段式定位できる。
【図面の簡単な説明】
【００１３】
【図１】本考案の好ましい実施例による外観立体図である（収巻状態）
【図２】本考案の各素子の分解構造図である。
【図３】本考案の定位盤の側視平面構造図である。
【図４】本考案の定位盤トラック槽構造を示す図である。
【図５】本考案の滑盤の反面構造を示す図である。
【図６】公知のスチールボール定位のリールの各素子の分解構造図である。
【図７】公知のスチールボール定位のリールの滑座底部の構造図である。
【符号の説明】
【００１４】
１        上蓋
１１      制限槽
２        定位ボール
３        定位盤
３１      ほぞ
３２      貫通孔
３３      円形内凹槽
３４      円形外凹槽
３５      V字型凹槽
３６      直通型凹槽
３０      トラック槽
４        渦巻きばね
４１      中心端
４２      フック
５        滑盤
５１      正面縁座
５１１    スリット
５１２    片体
５１３    穿孔
５２      反面縁座
５２１    挟着片
５２２    導引片
６        ケーブル
６１      正面ケーブル端
６２      導線端
７        下蓋
７１      中心軸
７２      ほぞ
【図１】
0003135316.tif 000003
【図２】
0003135316.tif 000004
【図３】
0003135316.tif 000005
【図４】
0003135316.tif 000006
【図５】
0003135316.tif 000007
【図６】
0003135316.tif 000008
【図７】
0003135316.tif 000009